【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
モバイルコンピューティングデバイス上のマイクロプロセッサのために最適化された機械読み取り可能な命令を記憶する、コンピュータ読み取り可能な非一時的有形媒体であって、該命令が前記マイクロプロセッサによって実行されるとき、前記マイクロプロセッサに、
グラフィカルユーザーインターフェース（ＧＵＩ）を表示させ、
前記ＧＵＩを介して、閲覧するために１つ以上の項目の選択を受信させ、前記１つ以上の項目の各々が、プロセス制御システムに関連し、
インターネットまたはモバイル電話通信データ接続のいずれかを介して前記１つ以上の項目の前記選択をモバイルサーバに伝送させ、
前記インターネットまたは前記モバイル電話通信データ接続のいずれかを介して前記モバイルサーバから、前記選択された１つ以上の項目に対応する複数のリアルタイム値を受信させ、
前記複数のリアルタイム値を前記ＧＵＩ上に表示させる、コンピュータ読み取り可能な非一時的有形媒体。
【請求項２】
前記モバイルサーバから前記モバイルデバイスへ送信するために利用可能なパラメータを含む項目の母集団を示すデータを前記モバイルサーバから受信し、前記項目の母集団は、プロセスプラントのプロセス制御システムの１以上の構成ファイルから、前記モバイルサーバによって決定され、前記１以上の構成ファイルは、前記プロセス制御システムの構成を特定し、前記プロセス制御システムの１以上のプロセスコントローラにダウンロードされた場合、前記プロセスコントローラに前記プロセスプラントを制御させることが実行可能であり、
表示すべき前記１つ以上の項目の選択は、前記項目の母集団から選択される、請求項１に記載のコンピュータ読み取り可能な非一時的有形媒体。
【請求項３】
前記機械読み取り可能な命令が、前記マイクロプロセッサに、さらに、
前記複数のリアルタイム値と共に、複数の履歴値を受信させる、請求項１又は２に記載のコンピュータ読み取り可能な非一時的有形媒体。
【請求項４】
前記１つ以上の項目の各々が、前記プロセス制御システム内のプロセスエンティティに
対応する、請求項１から３のいずれか一項に記載のコンピュータ読み取り可能な非一時的有形媒体。
【請求項５】
閲覧するために１つ以上の項目の選択を受信することが、
予めコンパイルされた項目のリストの中のリストを表示することと、
前記予めコンパイルされた項目のリストの１つの選択を受信することと、を含む、請求項１から４のいずれか一項に記載のコンピュータ読み取り可能な非一時的有形媒体。
【請求項６】
閲覧するために１つ以上の項目の選択を受信することが、
検索フィールドを表示することと、
検索クエリを受信することと、
前記検索クエリを前記モバイルサーバに伝送することと、
前記モバイルサーバから、前記検索クエリに応答する項目のリストを受信することと、
前記検索クエリに応答する前記項目のリストを前記ＧＵＩ上に表示することと、
前記項目のリストから、前記項目の１つ以上の選択を受信することと、を含む、請求項１から５のいずれか一項に記載のコンピュータ読み取り可能な非一時的有形媒体。
【請求項７】
前記複数のリアルタイム値を前記ＧＵＩ上に表示することが、
前記選択された項目のリアルタイム値と関連する前記選択された項目の各々をリスト画面に表示することを含む、請求項１から６のいずれか一項に記載のコンピュータ読み取り可能な非一時的有形媒体。
【請求項８】
前記複数のリアルタイム値を前記ＧＵＩ上に表示することが、
前記選択された項目の傾向グラフと関連する前記選択された項目の各々をリスト画面に表示することを含む、請求項１から７のいずれか一項に記載のコンピュータ読み取り可能な非一時的有形媒体。
【請求項９】
前記複数のリアルタイム値を前記ＧＵＩ上に表示することが、
前記選択された１つ以上の項目について、前記選択された１つ以上の項目のうちの前記１つの傾向グラフ、及び前記選択された１つ以上の項目のうちの前記１つのリアルタイム値を表示することを含む、請求項１から８のいずれか一項に記載のコンピュータ読み取り可能な非一時的有形媒体。
【請求項１０】
前記複数のリアルタイム値を前記ＧＵＩ上に表示することが、
前記選択された１つ以上の項目のうちの前記１つについて、設定値を表示すること、
前記選択された１つ以上の項目のうちの前記１つについて、スケール値を表示すること、
前記選択された１つ以上の項目のうちの前記１つについて、現在及び履歴パラメータ値の前記傾向グラフ上の指示、ならびに現在及び履歴設定値の前記傾向グラフ上の指示を表示すること、
前記選択された１つ以上の項目のうちの前記１つについて、状況指示を表示すること、及び
前記選択された１つ以上の項目のうちの前記１つについて、１つ以上のアラームを表示すること
のうち１以上をさらに含む、請求項９に記載のコンピュータ読み取り可能な非一時的有形媒体。
【請求項１１】
前記複数のリアルタイム値を前記ＧＵＩ上に表示することが、
アラームのリスト及びアラーム状況を表示することを含む、請求項１から１０のいずれか一項に記載のコンピュータ読み取り可能な非一時的有形媒体。
【請求項１２】
前記複数のリアルタイム値を前記ＧＵＩ上に表示することが、
前記アラームのリストからアラームの選択を受信することと、
前記選択されたアラームに関する詳細な情報を表示することと、を含む、請求項１１に記載のコンピュータ読み取り可能な非一時的有形媒体。
【請求項１３】
前記選択されたアラームに関する詳細な情報を表示することが、
前記選択されたアラームに関する詳細な情報を表示することが、アラーム種類、応答時間、停止の結果、推奨される活動、前記アラームが作動状態になった時間、及び前記アラームが作動状態になってからの経過時間、のうちの１つ以上を表示することを含む、請求項１２に記載のコンピュータ読み取り可能な非一時的有形媒体。
【請求項１４】
前記機械読み取り可能な命令が、前記マイクロプロセッサに、さらに、
前記モバイルサーバから前記モバイルコンピューティングデバイスに伝送される１つ以上の通知を受信させ、表示させる、請求項１から１３のいずれか一項に記載のコンピュータ読み取り可能な非一時的有形媒体。
【請求項１５】
前記機械読み取り可能な命令が、前記マイクロプロセッサに、さらに、
新しいリスト上に配置するカスタマイズされた項目の選択を受信させ、
前記新しいリストを前記モバイルサーバに伝送させ、
後で前記モバイルサーバから前記新しいリストを取り出させる、請求項１から１４のいずれか一項に記載のコンピュータ読み取り可能な非一時的有形媒体。
【請求項１６】
前記機械読み取り可能な命令が、前記マイクロプロセッサに、さらに、
前記新しいリストを別のモバイルコンピューティングデバイスのユーザーと共有する要求を前記モバイルサーバに伝送させる、請求項１５に記載のコンピュータ読み取り可能な非一時的有形媒体。
【請求項１７】
前記機械読み取り可能な命令が、前記マイクロプロセッサに、さらに、
各項目が、受信し、表示することができる情報に対応する、項目のリストを受信させ、プラント階層に従って前記項目のリストをフィルタリングさせる、請求項１から１６のいずれか一項に記載のコンピュータ読み取り可能な非一時的有形媒体。
【請求項１８】
前記機械読み取り可能な命令が、前記マイクロプロセッサに、さらに、
各項目が、受信し、表示することができる情報に対応する、項目のリストを受信させ、
制御範囲に従って前記項目のリストをフィルタリングさせる、請求項１から１７のいずれか一項に記載のコンピュータ読み取り可能な非一時的有形媒体。